(57)【要約】【課題】細長の先端パイプを持つ筆記具において、先端パイプに衝撃が伝達しにくく芯に負担をかけることが少ない筆記具とする。【解決手段】外筒１０と、外筒１０に固定されて外筒１０より前方へと延びる細長の先端パイプ１４と、外筒１０または先端パイプ１４の少なくとも一方の内部に配設されて芯Ｌを締め付けると共に芯を繰り出す芯繰り出し機構２０と、芯に弾性的に接触する弾性筒体１８と、を有し、該弾性筒体１８の少なくとも一部は先端パイプ１４よりも前方の位置に配置されるようにして、弾性筒体１８が先端パイプ１４に連結される。【選択図】図３
2007307798.tif 000002
【特許請求の範囲】
【請求項１】
外筒と、外筒に固定されて外筒より前方へと延びる細長の先端パイプと、外筒または先端パイプの少なくとも一方の内部に配設されて芯を締め付けると共に芯を繰り出す芯繰り出し機構と、芯に弾性的に接触する弾性筒体と、を有する筆記具において、
前記弾性筒体の少なくとも一部は先端パイプよりも前方の位置に配置されるようにして、弾性筒体が先端パイプに連結されることを特徴とする筆記具。
【請求項２】
前記弾性筒体は先端パイプに固定される先端具を介して先端パイプに連結されており、該先端具には周方向に離間して径方向に伸びる孔が複数形成され、該弾性筒体は前記孔にはめ込まれる複数の突出部を有しており、該突出部の先端が芯に弾性的に接触することを特徴とする請求項１記載の筆記具。
【請求項３】
前記弾性筒体は、前記先端具の先端部の外側を覆うことを特徴とする請求項２記載の筆記具。
【請求項４】
前記弾性筒体は、筆記具の最先端に配置されることを特徴とする請求項１ないし３のいずれか１項に記載の筆記具。
【請求項５】
前記弾性筒体は、その外面が先細りとなったテーパー部を有することを特徴とする請求項１ないし４のいずれか１項に記載の筆記具。
【発明の詳細な説明】
【技術分野】
【０００１】
本発明は、芯を繰り出すことができ、外筒より前方へと延びる芯保護用の細長の先端パイプを有する筆記具に関する。
【背景技術】
【０００２】
従来、電気工事、建設工事等の工事現場においては、職人等が深い小溝のような狭い場所に筆記する必要があり、通常の筆記具では、先具より後方が小溝内に入らないため、小溝に入ることが可能な細い先端パイプを長くすることが切望されている。また、例えば、デッサン（素描）等を行うのに筆記具を使用する場合には、筆記具の後方を持って筆記することが多く、先端パイプが短いと先具等に視界が遮られ、筆記先が死角になるため、先端パイプを長くすることが望まれる。
【０００３】
しかしながら、通常の筆記具では、先端パイプの長さを長くすると、繰出チャックから先端パイプ先端までの長さが長くなるので、芯が消耗して短くなり繰出チャックに保持されなくなったときに、無駄になるロス芯の量が多くなるという問題がある。
【０００４】
かかる問題を解決するためのものとして、特許文献１に記載された筆記具が知られており、この筆記具では、先端パイプの先端口内にその後端が固着され、外面が先細りとなったテーパー状の先端具と、先端パイプ内で芯に弾性的に接触する弾性体と、を有している。
【０００５】
【特許文献１】特開２０００−９４８８３号公報
【発明の開示】
【発明が解決しようとする課題】
【０００６】
しかしながら、特許文献１の構成では、小溝に筆記具を挿入して挿入時の衝撃が先端パイプに作用した場合に、先端パイプが折れ曲がるなどして芯にその衝撃が伝達して芯折れを発生するおそれがあるという問題がある。
【０００７】
本発明はかかる課題に鑑みなされたもので、先端パイプに衝撃が伝達しにくく芯に負担をかけることが少ない筆記具を提供することをその目的とする。
【課題を解決するための手段】
【０００８】
上記目的を達成するために、本発明のうち請求項１記載の発明は、外筒と、外筒に固定されて外筒より前方へと延びる細長の先端パイプと、外筒または先端パイプの少なくとも一方の内部に配設されて芯を締め付けると共に芯を繰り出す芯繰り出し機構と、芯に弾性的に接触する弾性筒体と、を有する筆記具において、
前記弾性筒体の少なくとも一部は先端パイプよりも前方の位置に配置されるようにして、弾性筒体が先端パイプに連結されることを特徴とする。
【０００９】
請求項２記載の発明は、請求項１記載の前記弾性筒体が先端パイプに固定される先端具を介して先端パイプに連結されており、該先端具には周方向に離間して径方向に伸びる孔が複数形成され、該弾性筒体は前記孔にはめ込まれる複数の突出部を有しており、該突出部の先端が芯に弾性的に接触することを特徴とする。
【００１０】
請求項３記載の発明は、請求項２記載の前記弾性筒体が、前記先端具の先端部の外側を覆うことを特徴とする。
【００１１】
請求項４記載の発明は、請求項１ないし３のいずれか１項に記載の前記弾性筒体が、筆記具の最先端に配置されることを特徴とする。
【００１２】
請求項５記載の発明は、請求項１ないし４のいずれか１項に記載の前記弾性筒体が、その外面が先細りとなったテーパー部を有することを特徴とする。
【発明の効果】
【００１３】
本発明によれば、筆記中等に筆記具の先端に衝撃が作用したとしても、その衝撃は弾性筒体によって吸収されるために、先端パイプに直接その衝撃が伝わることを防止することができ、先端パイプの折れ曲がりなどが未然に防止されて、芯の折れも防止することができる。また、弾性筒体は、芯繰出し機構によって締め付けられた芯を芯繰出し機構よりも前方で保持するため、安定して筆記を行うことができる。また、弾性筒体の芯に接触する部分の外側が先端パイプによって拘束されないようにすることができるので、芯が太い場合などに該部分が外径方向に逃げることができて、芯への接触面積が増加して芯への保持力が大きくなりすぎるのを防ぐことができる。
【００１４】
請求項２記載の発明によれば、先端パイプに固定される先端具を介して弾性筒体を確実に先端パイプに連結することができる。弾性筒体はその内側が先端具によって支持されるために、先端具によってその形状を保持することができる。
【００１５】
請求項３記載の発明によれば、弾性筒体が先端具の先端部の外側を覆うことで、筆記具先端に作用する荷重を弾性筒体が直接受けることができる。
【００１６】
請求項４記載の発明によれば、弾性筒体が筆記具の最先端に配置されるために、芯を最先端において保持することができて、安定して筆記を行なうことができる。
【００１７】
請求項５記載の発明によれば、弾性筒体が先端にあっても、筆記先が死角になることを防ぐことができる。
【発明を実施するための最良の形態】
【００１８】
以下、図面を用いて本発明の実施の形態を説明する。
図１は、本発明に係る筆記具の実施の形態を表す全体図、図２はその縦断面図、図３はその要部拡大断面図である。図において、１０は外筒であり、外筒１０は、一体の筒状部品となっているが、複数の部品から構成することも可能である。
【００１９】
外筒１０の先端には、外筒１０よりも細径となった細長の先端パイプ１４が圧入やかしめにより固定されており、先端パイプ１４は外筒１０より前方へと延びている。この実施の形態では、先端パイプ１４の全長は、５ｍｍ以上、好ましくは２０ｍｍ〜３０ｍｍ程度に設定される。この先端パイプ１４は、金属製とすると肉薄になり好ましい。
【００２０】
外筒１０及び先端パイプ１４のいずれか一方の内部、この例の場合には外筒１０及び先端パイプ１４の両方の内部には、芯繰り出し機構２０が配設される。芯繰り出し機構２０は、芯を締め付けると共に芯を繰り出す為の繰出チャック２２と、繰出チャック２２の頭部に外嵌され繰出チャック２２の頭部を締め付けるチャックリング２４と、チャックリング２４の後端に当接する筒状体２６と、繰出チャック２２の後端に連結される芯タンク２８と、繰出チャック２２の後端部と筒状体２６の後端部との間に介挿され、繰出チャック２２を軸線方向後方へ常時付勢するチャックスプリング３０と、を備えている。筒状体２６は、先端パイプ１４にかしめ等の手段によって固定される。芯タンク２８の後端には、ノック筒３２が着脱可能に取り付けられており、ノック筒３２の一部は外筒１０の後端から突出している。
【００２１】
この実施の形態における芯Ｌは、直径２ｍｍ程度のものが使用されている。
【００２２】
先端パイプ１４の先端には、先端具１６が固定されている。先端具１６は金属製または合成樹脂製のいずれとすることもでき、先端パイプ１４に対して、圧入またはかしめによって固定することができる。そのため、先端具１６の後筒部１６ａは先端パイプ１４内を延びており、後筒部１６ａの後端は、前記チャックリング２４が動作していない状態における位置よりも所定距離だけ前方に離間して配置される。但し、先端パイプ１４と先端具１６を一体部品として構成して先端具１６を先端パイプ１４に固定することも可能であり、または先端具を省略することも可能である。
【００２３】
先端具１６の前筒部１６ｂは、先端パイプ１４の外側且つ前方に配置されており、図４に示すように、周方向に離間して径方向に伸びる孔１６ｃが複数形成されている。
【００２４】
さらに先端具１６の前筒部１６ｂの先端には弾性筒体１８が取り付けられる。よって、弾性筒体１８は、その少なくとも一部が先端パイプ１４の外側で且つ先端パイプ１４よりも前方の位置に配置されて、先端具１６を介して先端パイプ１４に連結される。但し、先端具１６を省略する等して、弾性筒体１８の一部が先端パイプ１４の内側まで延びるようにすることも可能である。
【００２５】
弾性筒体１８は、熱可塑性エラストマー、合成ゴム、天然ゴム、シリコーンゴム、軟質合成樹脂等の弾性材からなり、周方向に離間して内径方向に延びる複数の突出部１８ａを有しており、各突出部１８ａが前記先端具１６の対応する孔１６ｃにはめ込まれている。突出部１８ａは、先端具１６を貫通しており、突出部１８ａの先端部が芯Ｌに直接弾性的に接触して芯Ｌを保持する。
【００２６】
また、弾性筒体１８は、先端具１６の前筒部１６ｂを覆うようにして筆記具の最先端に配置されるために、弾性筒体１８は、内側に配置される前筒部１６ｂによって形状が保持されている。また、弾性筒体１８は、その外面が先細りとなったテーパー部１８ｂを有すると共に、その最先端部は、前筒部１６ｂの先端面を覆うようにして内径方向に延びた第２突出部１８ｃとなっている。第２突出部１８ｃの先端部は、芯Ｌとの間で若干の隙間を形成する。
【００２７】
突出部１８ａの数は、図示の例では４個であるが、任意の数とすることができ、また、突出部１８ａの突出高さは芯径に合わせて適宜設定することができる。突出部１８ａによる保持力が不足の場合には、第２突出部１８ｃの先端部を芯Ｌに弾性的に接触させるようにしてもよい。
【００２８】
以上のように構成される筆記具において、芯を繰り出すには、ノック筒３２をノックすると、繰出チャック２２が締め付けている芯Ｌと共に先端パイプ１４内を前進し、同時にチャックリング２４も前進する。チャックリング２４は、先端具１６の後筒部１６ａに当接するとそれ以上の前進ができなくなるために、繰出チャック２２だけが前進し、芯Ｌが繰出チャック２２の締め付けから解放される。そして、芯Ｌは弾性筒体１８の突出部１８ａによって保持されるために、ノック力が解除されて繰出チャック２２が戻る際に、前進した状態を維持する。こうして、芯Ｌが繰り出されて、筆記することが可能になる。
【００２９】
外筒１０よりも細径の先端パイプ１４が外筒１０よりも前方へと延びているために、深い溝の中にも先端パイプ１４を挿入して、溝の底に筆記することができる。また、筆記具の先端には、さらに外面が先細りとなったテーパー部１８ｂを有する弾性筒体１８が配置されているため、先端パイプ１４が芯Ｌよりも多少太くても、筆記先が死角になることを防げる。
【００３０】
筆記具を使用中等に筆記具の先端に衝撃が作用したとしても、その衝撃は弾性筒体１８によって吸収されるために、先端パイプ１４に直接その衝撃が伝わることを防止することができ、先端パイプ１４の折れ曲がりなどが未然に防止されて、芯の折れも防止することができる。
【００３１】
弾性筒体１８は、繰出チャック２２よりも先方に延びる芯Ｌを保持するため、安定して筆記を行うことができる。また、弾性筒体１８の突出部１８ａは、先端パイプ１４の外側にあるために、先端パイプ１４によってその変位が妨害されない。よって、芯Ｌの誤差により芯Ｌの径が通常の芯よりも太径であっても、突出部１８ａが外径方向に逃げることができて、芯への接触面積が増加して芯への保持力が大きくなりすぎるのを防ぐことができる。
【００３２】
芯Ｌが消耗して弾性筒体１８の先端と繰出チャック２２の間の長さよりも短くなり繰出チャック２２に挟持されなくなったときにも、芯Ｌが弾性筒体１８によって保持されるため、筆記を続けることができる。次の芯を芯タンク２８に補充してノック筒３２をノックすると、繰出チャック２２より前進された次の芯が前の芯Ｌを押圧して前の芯Ｌを繰り出すことができる。このようにして短くなった芯Ｌでも筆記することができるようになる。短くなった芯Ｌは、弾性筒体１８に保持されるため落下することを防げる。
【００３３】
繰出チャック２２からはじめての芯が繰出されると、繰出チャック２２が前進して芯Ｌを解放したときに、芯Ｌは、自重で弾性筒体１８のところまで落下して、弾性筒体１８に保持される。こうして弾性筒体１８に保持された状態でノック筒３２をノックすると、繰出チャック２２によって所定量ずつ芯が繰出されるようになる。弾性筒体１８は筆記具の最先端にあるため、芯が突出するまでに必要なノック回数は、多くはならず、手間がかからず芯を突出させることができる。
【００３４】
以上の筆記具は、外筒よりも前方へと延びる細長い先端パイプを持つために、深い溝の底等に筆記する工具用筆記具として使用したり、または、デッサン用筆記具として使用したりすることができる。
【００３５】
また、芯Ｌの断面が円形である場合に限らず、図５に示すように、芯Ｌの断面が楕円である場合にも同様に適用することができる。その場合には、先端具１６の内周面の形状を楕円形状にすると共に、弾性筒体１８の複数の突出部１８ａのうち、芯Ｌの長軸部分に接触する突出部１８ａは短く、芯Ｌの短軸部分に接触する突出部１８ｂは長くなるように設定するとよい。
【図面の簡単な説明】
【００３６】
【図１】本発明の第１実施形態に係る筆記具の全体図である。
【図２】図１の筆記具の縦断面図である。
【図３】図１の筆記具の先端部の拡大縦断面図である。
【図４】図３の４−４線に沿って見た断面図である。
【図５】本発明の変形例の図３の４−４線に沿って見た断面図である。
【符号の説明】
【００３７】
１０  外筒
１４  先端パイプ
１６  先端具
１６ｃ  孔
１８  弾性筒体
１８ａ  突出部
１８ｂ  テーパー部
２０  芯繰り出し機構
Ｌ  芯
【図１】
2007307798.tif 000003
【図２】
2007307798.tif 000004
【図３】
2007307798.tif 000005
【図４】
2007307798.tif 000006
【図５】
2007307798.tif 000007